(57)【特許請求の範囲】
【請求項１】
脚に支持される受台と、この受台に枢支されて後傾自在とされ背もたれを構成する背フレームとを備えるリクライニング椅子であって、前記受台に揺動自在に枢支され該受台上に支持される座部側のガイド軸が挿通される長孔および側面に該長孔に対し直交する方向に所定のピッチをもって刻設された歯列を有するスライドガイドと、このスライドガイドの歯列に噛合する歯を有する噛合部材とを具備し、この噛合部材を操作部材の回動操作により前記スライドガイドの歯列に噛合または非噛合自在とし、噛合時に背フレームが受台に固定されるようにしたことを特徴とするリクライニング椅子の傾斜固定装置。
【請求項２】
前記噛合部材の前記スライドガイドの歯列への噛合・非噛合位置への移動手段は、前記ガイド軸側に一端が支持され他端が前記噛合部材に係合された圧縮バネと、前記操作部材の回動により前記噛合部材を押圧するカム機構とで構成され、前記噛合部材の無負荷時には前記噛合が解かれて背フレームの後傾を自在とし、操作部材の回動時に前記カム機構により噛合部材が押動されたとき噛合してその位置でロックされるようになされている請求項１記載のリクライニング椅子の傾斜固定装置。
【発明の詳細な説明】
【０００１】
【発明の属する技術分野】
本発明はリクライニング椅子に係り、特に背もたれを後傾させて任意所望の位置でロックするためのリクライニング椅子の傾斜固定装置に関する。
【０００２】
【従来の技術】
従来から事務用椅子において、背もたれを傾動させて楽な姿勢をとることができるようにしたリクライニング椅子が提供されている。
【０００３】
上記背もたれを後傾させて任意所望の傾斜角度位置で固定させる固定手段としては、従来ガススプリングを用い、このガススプリングをレバー操作により任意傾斜位置でロックするようになされたもの、あるいは多板式のクラッチ板を用い、任意傾斜位置でクラッチ板を圧着させることによりロックするようになされたものがある。
【０００４】
【発明が解決しようとする課題】
しかるに上記ガススプリングによる固定手段では、ガススプリング自体の耐久性（ガス抜け）に限界があるほか高価であり、リクライニング椅子のコストに影響を与えるという問題点があった。
【０００５】
また多板式のクラッチ板によるものでは、パーツが多いため組み立て工程を含む製造工程が複雑となり、かつ摩擦によって固定させるものであるから強固な固定力を得るためにはクラッチ板の枚数を増やすことが必要となって益々部品点数が増え、クラッチ板の圧接力を増すためには操作力に大きな力が必要となって操作がしにくいものとなるという問題点があった。
【０００６】
本発明は上記従来技術の問題点を解消することを課題としてなされたもので、少ない部品点数でコンパクトに構成することができながら軽い操作力により大きな固定力を得ることができ、コスト負担も低く抑えることができるとともに故障の発生がないリクライニング椅子の傾斜固定装置を提供するものである。
【０００７】
【課題を解決するための手段】
上記課題を解決する手段として本発明は、脚に支持される受台と、この受台に枢支されて後傾自在とされ背もたれを構成する背フレームとを備えるリクライニング椅子であって、前記受台に揺動自在に枢支され該受台上に支持される座部側の軸が挿通される長孔および側面に該長孔に対し直交する方向に所定のピッチをもって刻設された歯列を有するスライドガイドと、このスライドガイドの歯列に噛合する歯を有する噛合部材とを具備し、この噛合部材を操作部材の回転操作により前記スライドガイドの歯列に噛合または非噛合自在とし、噛合時に背フレームが受台に固定されるようにしたことを特徴とする。
【０００８】
前記噛合部材の前記スライドガイドの歯列への噛合・非噛合位置への移動手段は、前記ガイド軸側に一端が支持され他端が前記噛合部材に係合された圧縮バネと、前記操作部材の回動により前記噛合部材を押圧するカム機構とで構成するようにし、前記噛合部材の無負荷時には前記噛合が解かれて背フレームの後傾を自在とし、操作部材の回動時に前記カム機構により噛合部材が押動されたとき噛合してその位置でロックされるようにすることが好ましい。
【０００９】
【発明の実施の形態】
以下、本発明を図面に示す実施の形態を参照して説明する。
図１は本発明による傾斜固定装置を組み込んだリクライニング椅子の一実施形態の要部の断面図を示し、図２は図１の座クッションを除去した平面図を示しており、図１は非リクライニング時の状態を示している。
【００１０】
上記リクライニング椅子１は、脚柱２に支持された受台３上に設けられる座フレーム４に座クッション５が取り付けられた座部６と、前記受台３に後傾自在に枢支された背フレーム７とを有し、この背フレーム７の上部には背クッション８ａが取り付けられて背もたれ８とされ、前記脚柱２内には従来と同様に座部６の高さ調節用のガススプリング（図示せず）が内蔵されている。
【００１１】
前記背フレーム７は側面視Ｌ形状をなし、その下部の前方に向けて延びる下部フレーム７ａの先端が前記受台３の前記脚柱２より前方位置に軸９により上下方向揺動自在に支持され、この軸９には左右一対のコイルバネ１０，１０が巻装されており、これらコイルバネ１０，１０の一端１０ａ，１０ａは背フレーム７の左右の下部フレーム７ａ，７ａ間に掛け渡して固定されたバネ受１１の下面に係止され、他端１０ｂ，１０ｂは前記受台３の前部下面に螺挿された調整ネジ１２の回動により上下方向に移動するバネ受１３の下面に係止されている。これにより背もたれ８の後傾時にはコイルバネ１０，１０が巻き締められることにより反力が得られ、前記調整ネジ１２を回動して前記バネ受１３を移動させることにより上記反力の強さを調整することができる。
【００１２】
また前記受台３の前端左右部には後方に向け下り傾斜する長孔１４を有するブラケット１５が設けられ、これら長孔１４には座フレーム４の前端近くの幅方向に固設された軸１６が挿通されており、この軸１６を介して座フレーム４が長孔１４の長さ分だけ前方へスライドし得るようになっている。
【００１３】
前記受台３の前記脚柱２より若干前方位置の中央部に本発明による傾斜固定装置１７が設けられている。
【００１４】
この傾斜固定装置１７は、一端の軸受部１８が受台３に軸１９により上下方向揺動自在に枢支されたスライドガイド２０と、噛合部材２１と、カム機構２２と、操作部材２３とで構成されている。
【００１５】
上記スライドガイド２０は、図５、図６に拡大して示すように側面視長方形状を有し、その長手方向中央には長孔２４が形成されており、その両側面には前記長孔２４に対し直交する方向に所定のピッチをもって刻設された歯列２５が形成されている。またこの歯列２５が形成された側面の四周には縁部２６が突設されている。
【００１６】
上記長孔２４には、前記座フレーム４の左右の軸受部２７，２７に支持されたガイド軸２８が挿通されており、このガイド軸２８と長孔２４との位置関係は、背フレーム７が最も起き上がっているとき（非リクライニング時）にはガイド軸２８は長孔２４の上端に位置し（図１示）、背フレーム７を最も後傾させたときガイド軸２８が長孔２４の下端に位置（図４示）するようになっており、その中間の傾斜時にはその傾斜に応じた位置（図３示）におかれるようになっている。
【００１７】
前記噛合部材２１は前記スライドガイド２０の側面を挟むように一対として設けられており、前記ガイド軸２８に摺動自在に嵌挿され、スライドガイド２０の歯列２５に対向する面にはこの歯列２５に噛合自在な歯２９を有し、この歯２９を有する面側がスライドガイド２０の側面四周の縁部２６内に位置していて該面側から逸脱しないようになっている。
【００１８】
上記噛合部材２１の歯２９をスライドガイド２０の歯列２５に噛合または非噛合とさせるための移動手段は、前記ガイド軸２８に固定のバネ受３０に一端が支持され他端が噛合部材２１の凹部内に係合された圧縮バネ３１と、操作部材２３の上下方向への回動により前記噛合部材２１を前記圧縮バネ３１に抗して押動するカム機構２２とで構成されている。
【００１９】
前記操作部材２３は、図７に便宜上位相を９０°反転させて示すように一対の部片２３Ａ，２３Ｂからなっており、各部片２３Ａ，２３Ｂの先端が前記噛合部材２１，２１の外端面にそっておかれるよう前記ガイド軸２８に回動自在に嵌挿され、部片２３Ａ，２３Ｂの基端は突部３２と凹部３３との嵌合によりスライド自在とされていて、噛合部材２１，２１の移動に対し追動し得るようになっている。
【００２０】
前記部片２３Ａ，２３Ｂの先端部外面には凸カム３４，３４が形成されており、前記ガイド軸２８に固着の固定カム３５，３５に当接しておかれ、前記操作部材２３を回動させてその凸カム３４，３４が前記固定カム３５，３５の高所３５ａ，３５ａに乗り上げたとき噛合部材２１，２１を圧縮バネ３１に抗して押し込んでその歯２９をスライドガイド２０の歯列２５に噛合させ（図７（Ａ））、凸カム３４，３４が固定カム３５，３５の低所３５ｂ，３５ｂに落ち込んだとき噛合部材２１，２１が圧縮バネ３１により押し戻されて歯２９が歯列２５から外れ出るようになっている（図７（Ｂ））。
【００２１】
図２において符号３６は前記操作部材２３に結合されて座部６の側部で操作することができるようにする操作レバーである。
【００２２】
次に上記実施形態の作用を説明する。
図１の背もたれ８を起立させた状態においては、座フレーム４のガイド軸２８はスライドガイド２０の長孔２４の上端に位置しており、この位置において噛合部材２１の歯２９がスライドガイド２０の歯列２５に噛合していてその位置でスライドガイド２０は固定状態におかれ、これにより背フレーム７は後傾不能にロックされている。なおこのとき背もたれ８に寄り掛かった際のクッション性はコイルバネ１０，１０の反力により与えられる。
【００２３】
図１の状態から背もたれ８を後傾させてリクライニング姿勢としたいときは、操作レバー３６を操作して操作部材２３を回動させると、操作部材２３の凸カム３４が固定カム３５の低所３５ｂへ移動して噛合部材２１の背部の拘束が解かれるので噛合部材２１は圧縮バネ３１による付勢により操作部材２３の部片２３Ａ，２３Ｂとともにガイド軸２８上をスライドしてスライドガイド２０から離反し、その歯２９がスライドガイド２０の歯列２５から完全に離脱する（図７（Ｂ）示の状態）。
【００２４】
これにより背フレーム７はフリーな状態となり、背もたれ８が最適な傾斜となるよう背フレーム７を後傾させる。その後傾角が最適となったとき操作レバー３６を元に戻すよう操作すれば、操作部材２１，２１が前記とは逆方向に回動してその凸カム３４が固定カム３５の高所３５ａに乗り上げ、これにより噛合部材２１，２１の背部が押圧されて圧縮バネ３１の付勢に抗して前進し、その歯２９がスライドガイド２０の歯列２５に噛合してスライドガイド２０を拘束する。これにより背フレーム７は最適後傾角のリクライニング姿勢にロックされ、背フレーム７と連動する座部６はそれに見合った位置をとる（図３示）。
【００２５】
図４は背もたれ８を最大限に後傾させた状態を示しており、この状態ではガイド軸２８はスライドガイド２０の長孔２４の下端に位置してロックされている。そして座部６も最後傾位置に固定され、リクライニング姿勢をとりやすくしている。
【００２６】
上記いずれの姿勢時においても、操作部材２２を操作しない限りスライドガイド２０の歯列２５と噛合部材２１の歯２９とが噛み合った状態におかれるので、背もたれ８が不用意に後傾することがない。
【００２７】
また前記歯列２５のピッチに応じ略無段階的に後傾角（リクライニング角）が得られる。
【００２８】
なお図示の実施形態では、スライドガイド２０の両面に歯列２５を設け、これに噛合する噛合部材２１，２１を一対として設けた場合について示したが、リクライニング椅子の使用目的等によってはスライドガイド２０の一側面にのみ歯列２５を設け、噛合部材２１およびこれを進退移動させるカム機構２２も片側のみとすることも可能である。
【００２９】
【発明の効果】
以上説明したように本発明によれば、従来の多板式摩擦クラッチによるものに比べ部品点数が著しく少なくてすみ、かつロック時は摩擦力に依存せず歯列と歯との噛み合いによるので、コンパクトな構造により強力な保持力を発揮させることができ、操作についても操作部材を回動させるだけでよいから大きな操作力がいらず、耐久性にも優れ、コスト的にも負担の少ない構成とすることができる。
【図面の簡単な説明】
【図１】本発明による傾斜固定装置を備えたリクライニング椅子の一実施形態の背もたれを起立させた状態時の要部断面図。
【図２】同、座クッションを除去した要部の平面図。
【図３】同、背もたれを若干後傾させた状態時の図１相当図。
【図４】同、背もたれを最後傾させた状態時の図１相当図。
【図５】本発明におけるスライドガイドの正面図。
【図６】図５のスライドガイドと噛合部材との関係を示す正面図。
【図７】本発明による傾斜固定装置の作用を示し、（Ａ）はロック時、（Ｂ）はロック解除時の状態を示す下半部を断面とした説明図。
【符号の説明】
１  リクライニング椅子
２  脚柱
３  受台
４  座フレーム
６  座部
７  背フレーム
８  背クッション
１０  コイルバネ
１７  傾斜固定装置
２０  スライドガイド
２１  噛合部材
２２  カム機構
２３  操作部材
２５  歯列
２６  縁部
２８  ガイド軸
２９  歯
３４  凸カム
３５  固定カム
【図１】
0004667585.tif 000002
【図２】
0004667585.tif 000003
【図３】
0004667585.tif 000004
【図４】
0004667585.tif 000005
【図５】
0004667585.tif 000006
【図６】
0004667585.tif 000007
【図７】
0004667585.tif 000008